(57)【要約】【課題】入力モードを自動的に切り替えることができ、これにより入力モードの切り替えによる操作性を向上させることが可能な入力表示ボード兼テーブルを提供する。【解決手段】入力表示画面１１０ａに対してタッチ操作可能なタッチ入力表示装置１１０を備え、入力表示画面１１０ａが垂直となる垂直姿勢と水平となる水平姿勢との間でタッチ入力表示装置１１０が姿勢変更可能とされた入力表示ボード兼テーブル１００は、入力表示画面１１０ａへの異なる複数の入力モードを実行可能な制御部１３０と、タッチ入力表示装置１１０の姿勢状態を検出する姿勢検出部１４０とを備え、制御部１３０は、姿勢検出部１４０の検出結果に基づき複数の入力モードのうち何れか一つのモードに切り替える。【選択図】図６
2011065252.tif 000002
【特許請求の範囲】
【請求項１】
入力表示画面に対してタッチ操作可能なタッチ入力表示装置を備え、前記入力表示画面が垂直となる垂直姿勢と水平となる水平姿勢との間で前記タッチ入力表示装置が姿勢変更可能とされた入力表示ボード兼テーブルであって、
前記入力表示画面への異なる複数の入力モードを実行可能な制御部と、
前記タッチ入力表示装置の姿勢状態を検出する姿勢検出部と
を備え、
前記制御部は、前記姿勢検出部の検出結果に基づき前記複数の入力モードのうち何れか一つのモードに切り替えることを特徴とする入力表示ボード兼テーブル。
【請求項２】
請求項１に記載の入力表示ボード兼テーブルであって、
前記制御部は、前記タッチ入力表示装置が前記垂直姿勢をとるときに実行する入力モードと、前記水平姿勢をとるときに実行する入力モードとを前記複数の入力モードの中から任意に設定するためのユーザー設定手段を備えることを特徴とする入力表示ボード兼テーブル。
【請求項３】
請求項１又は請求項２に記載の入力表示ボード兼テーブルであって、
前記複数の入力モードは、前記入力表示画面に対するタッチ操作を無効にする無効入力モードを含んでいることを特徴とする入力表示ボード兼テーブル。
【請求項４】
請求項１から請求項３までの何れか一つに記載の入力表示ボード兼テーブルであって、
前記制御部は、前記姿勢検出部の検出結果に関わりなく前記複数の入力モードの中から何れか一つのモードを選択的に切り替えるためのモード選択手段を備えることを特徴とする入力表示ボード兼テーブル。
【請求項５】
請求項１から請求項４までの何れか一つに記載の入力表示ボード兼テーブルであって、
前記制御部は、前記入力表示画面に現在の入力モードを示す表示を行うことを特徴とする入力表示ボード兼テーブル。
【請求項６】
請求項１から請求項５までの何れか一つに記載の入力表示ボード兼テーブルであって、
前記複数の入力モードは、前記入力表示画面に対してペンによる入力操作を行うペン入力モードと、ユーザーの指による入力操作を行う指入力モードとを含んでいることを特徴とする入力表示ボード兼テーブル。
【発明の詳細な説明】
【技術分野】
【０００１】
本発明は、入力表示画面に対してタッチ操作可能なタッチ入力表示装置を備え、前記入力表示画面が垂直となる垂直姿勢と水平となる水平姿勢との間で前記タッチ入力表示装置が姿勢変更可能とされた入力表示ボード兼テーブルに関する。
【背景技術】
【０００２】
入力表示画面に対してタッチ操作可能なタッチ入力表示装置を、該入力表示画面を垂直とした入力表示ボード（例えば、電子ホワイトボードや電子黒板、電子掲示板といった手書きボード）として使用したり、該入力表示画面を水平とした入力表示テーブル（例えば、机や卓、台といったタッチテーブル）として使用したりする技術は、従来から知られている。
【０００３】
入力表示ボードや入力表示テーブルへの入力操作としては、ペンによる入力操作やユーザーの指による入力操作を挙げることができる（例えば下記特許文献１，２参照）。
【０００４】
タッチ入力表示装置を入力表示ボードとして使用する場合の基本的な入力モードは、一般的には、ペンによる入力操作を行う「ペン入力モード」となっており、タッチ入力表示装置を入力表示テーブルとして使用する場合の基本的な入力モードは、一般的には、ユーザーの指による入力操作を行う「指入力モード」となっている。
【０００５】
また、入力表示ボードと入力表示テーブルとを兼用した入力表示ボード兼テーブル、すなわち、入力表示画面が垂直となる垂直姿勢と水平となる水平姿勢との間でタッチ入力表示装置が姿勢変更可能とされた入力表示ボード兼テーブルが提案されている（例えば下記特許文献３〜５参照）。
【０００６】
この入力表示ボード兼テーブルでは、タッチ入力表示装置が垂直姿勢をとるときには入力表示ボード（例えばホワイトボード）として機能する一方、水平姿勢をとるときには入力表示テーブル（例えばタッチテーブル）として機能するように構成されている。
【先行技術文献】
【特許文献】
【０００７】
【特許文献１】特開平６−１２４１６７号公報
【特許文献２】特開平９−１６３３０号公報
【特許文献３】実開平３−５５２９６号公報
【特許文献４】特開平９−２９５４９５号公報
【特許文献５】特開２００８−９３０６９号公報
【発明の概要】
【発明が解決しようとする課題】
【０００８】
しかしながら、入力表示ボードと入力表示テーブルとを兼用した入力表示ボード兼テーブルでは、既述したように、タッチ入力表示装置を入力表示ボードとして使用する場合の基本的な入力モードは、例えば「ペン入力モード」であり、タッチ入力表示装置を入力表示テーブルとして使用する場合の基本的な入力モードは、例えば「指入力モード」であるにも関わらず、ユーザーは「ペン入力モード」と「指入力モード」とを手動（マニュアル）操作によって意識的に切り替える必要があるため、入力モードの切り替えによる操作性が悪いという不都合があった。
【０００９】
そこで、本発明は、入力モードを自動的に切り替えることができ、これにより入力モードの切り替えによる操作性を向上させることが可能な入力表示ボード兼テーブルを提供することを目的とする。
【課題を解決するための手段】
【００１０】
本発明は、前記課題を解決するために、入力表示画面に対してタッチ操作可能なタッチ入力表示装置を備え、前記入力表示画面が垂直となる垂直姿勢と水平となる水平姿勢との間で前記タッチ入力表示装置が姿勢変更可能とされた入力表示ボード兼テーブルであって、前記入力表示画面への異なる複数の入力モードを実行可能な制御部と、前記タッチ入力表示装置の姿勢状態を検出する姿勢検出部とを備え、前記制御部は、前記姿勢検出部の検出結果に基づき前記複数の入力モードのうち何れか一つのモードに切り替えることを特徴とする入力表示ボード兼テーブルを提供する。
【００１１】
本発明に係る入力表示ボード兼テーブルによれば、前記タッチ入力表示装置が前記垂直姿勢をとるときには入力表示ボード（例えばホワイトボード）として使用することができ、前記水平姿勢をとるときには入力表示テーブル（例えばタッチテーブル）として使用することができる。そして、前記姿勢検出部の検出結果に基づき前記複数の入力モードのうち何れか一つのモードに切り替えることで、前記タッチ入力表示装置の姿勢によって、ユーザーによる意識的な入力モードの切り替えがなされることなく、自動的に入力モードを切り替えることができ、これにより入力モードの切り替えによる操作性を向上させることができる。
【００１２】
本発明において、前記制御部は、前記タッチ入力表示装置が前記垂直姿勢をとるときに実行する入力モードと、前記水平姿勢をとるときに実行する入力モードとを前記複数の入力モードの中から任意に設定するためのユーザー設定手段を備える態様を例示できる。
【００１３】
この態様では、前記タッチ入力表示装置が前記垂直姿勢をとるときに実行する入力モードと、前記水平姿勢をとるときに実行する入力モードとを前記複数の入力モードの中から任意に設定できるので、例えば、前記タッチ入力表示装置を前記垂直姿勢にして入力表示ボード（例えばホワイトボード）として使用する場合及び前記水平姿勢にして入力表示テーブル（例えばタッチテーブル）として使用する場合の双方において、前記ユーザー設定手段にてユーザーによる使い勝手のよい入力モードの設定が可能となる。
【００１４】
本発明において、前記複数の入力モードは、前記入力表示画面に対するタッチ操作を無効にする無効入力モードを含んでいてもよい。
【００１５】
この態様では、前記複数の入力モードが前記無効入力モードを含んでいるので、必要に応じて前記無効入力モードにすることで、前記入力表示画面に対するタッチ操作を禁止した前記入力表示画面に対して表示を行うことが可能となる。
【００１６】
本発明において、前記制御部は、前記姿勢検出部の検出結果に関わりなく前記複数の入力モードの中から何れか一つのモードを選択的に切り替えるためのモード選択手段を備えてもよい。
【００１７】
この態様では、前記姿勢検出部の検出結果に関わりなく前記複数の入力モードの中から何れか一つのモードを選択的に切り替えることで、前記姿勢検出部の検出結果に関わりなくユーザーによって意識的に入力モードを切り替えることが可能となる。
【００１８】
本発明において、前記制御部は、前記入力表示画面に現在の入力モードを示す表示を行うことが好ましい。
【００１９】
この態様では、前記入力表示画面に現在の入力モードを示す表示を行うことで、ユーザーは現在の入力モードを容易に確認することができ、これにより現在の入力モードに応じた入力操作を確実に行うことができる。
【００２０】
本発明において、前記複数の入力モードは、前記入力表示画面に対してペンによる入力操作を行うペン入力モードと、ユーザーの指による入力操作を行う指入力モードとを含んでいる態様を例示できる。
【００２１】
具体的には、前記ペン入力モードとしては、タッチ操作した位置に対応した前記入力表示画面への表示（例えば、文字入力表示や描画入力表示）を行うように構成された入力モード（手書き入力モード）を例示できる。また、前記指入力モードとしては、外部接続されたコンピュータ又は内蔵されたコンピュータからの表示項目（例えば、メニューなどの選択表示項目や、文字、記号、図形、グラフ、表などの情報表示項目）が前記入力表示画面に表示されている場合において、該入力表示画面に表示されている表示項目の移動及び選択の少なくとも一方を指示するように構成された入力モードを例示できる。
【発明の効果】
【００２２】
以上説明したように、本発明に係る入力表示ボード兼テーブルによると、前記姿勢検出部の検出結果に基づき前記複数の入力モードのうち何れか一つのモードに切り替えるので、前記タッチ入力表示装置の姿勢によって、入力モードを自動的に切り替えることができ、これにより入力モードの切り替えによる操作性を向上させることができる。
【図面の簡単な説明】
【００２３】
【図１】本発明の実施の形態に係る入力表示ボード兼テーブルの使用状態を示す斜視図であって、図（ａ）は、入力表示ボードとして使用している状態を示す図であり、図（ｂ）は、入力表示テーブルとして使用している状態を示す図である。
【図２】タッチ入力表示装置を説明するための図であって、図（ａ）は、タッチ入力表示装置の一例の概略断面図であり、図（ｂ）は、入力表示画面でタッチ操作される入力座標を示す図である。
【図３】入力表示ボード兼テーブルの制御構成を概略的に示すシステムブロック図である。
【図４】タッチ入力表示装置が垂直位置に設置されているとき（ホワイトボードのとき）に実行する入力モードと、水平位置に設置されているとき（タッチテーブルのとき）に実行する入力モードとを複数の入力モードの中から任意に設定するユーザー設定画面を示す図である。
【図５】複数の入力モードにそれぞれ対応する複数の入力モード表示を選択可能に表示するモード切替ツール画面を示す図であって、図（ａ）は、ペン入力モードがタッチ操作された状態を示す図であり、図（ｂ）は、指入力モードがタッチ操作された状態を示す図であり、図（ｃ）は、無効入力モードがタッチ操作された状態を示す図である。
【図６】タッチ入力表示装置の設置状態に対してモード切替ツール画面に表示される現在の入力モードの表示状態を示す図であって、図（ａ）は、タッチ入力表示装置が垂直位置の設置状態にあるとき（ホワイトボードのとき）の入力モードを示す図であり、図（ｂ）は、タッチ入力表示装置が水平位置の設置状態にあるとき（タッチテーブルのとき）の入力モードを示す図である。
【図７】入力表示ボード兼テーブルの制御部による制御例の流れを示す前半部分のフローチャートである。
【図８】入力表示ボード兼テーブルの制御部による制御例の流れを示す後半部分のフローチャートである。
【発明を実施するための形態】
【００２４】
以下、本発明に係る実施の形態について図面を参照しながら説明する。なお、以下の実施の形態は、本発明を具体化した例であって、本発明の技術的範囲を限定する性格のものではない。
【００２５】
図１は、本発明の実施の形態に係る入力表示ボード兼テーブル１００の使用状態を示す斜視図である。図１（ａ）は、入力表示ボードとして使用している状態を示しており、図１（ｂ）は、入力表示テーブルとして使用している状態を示している。
【００２６】
図１に示す入力表示ボード兼テーブル１００は、入力表示画面１１０ａに対してタッチ操作可能なタッチ入力表示装置１１０と、タッチ入力表示装置１１０を支持する支持部材１２０を備えている。
【００２７】
タッチ入力表示装置１１０は、表示データに対応する画像を入力表示画面１１０ａに表示する表示機能と、入力表示画面１１０ａに対するタッチ操作によって取得した入力位置（座標）データを入力する入力機能とを備えている。
【００２８】
なお、表示データとしては、前記入力機能によって取得した入力位置（座標）データ（例えば指やペンによる入力位置データ）に基づく表示データ（例えば手書きデータ）であってもよいし、タッチ入力表示装置１１０の外部に接続されたコンピュータ（例えばパーソナルコンピュータ）等の外部装置からの表示データ（例えばグラフや表等の表示データ）であってもよい。
【００２９】
本実施の形態では、タッチ入力表示装置１１０は、入力操作部（ここではタッチパネル）１１１と表示部（ここでは表示パネル（ディスプレイ））１１２とを一体化した板状のタッチパネル型表示装置とされている。
【００３０】
タッチパネル１１１は、入力表示画面１１０ａに対するタッチ操作によって取得した入力位置（座標）データを入力する入力機能を有するものであれば、何れの方式のものであってもよい。それには限定されないが、タッチパネル１１１としては、代表的には、入力表示画面１１０ａに走査される光のタッチ操作による遮光状態を検知する光学方式のタッチパネル、入力表示画面１１０ａに配置される透明導電膜のタッチ操作による抵抗の変化を検知する抵抗膜方式のタッチパネルや、入力表示画面１１０ａにおける微弱電流のタッチ操作による電荷量の変化を検知する静電容量方式のタッチパネルを例示できる。
【００３１】
ディスプレイ１１２は、表示データに対応する画像を表示するものであれば、何れのものであってもよい。それには限定されないが、ディスプレイ１１２としては、代表的には、液晶表示ディスプレイを例示できる。
【００３２】
図２は、タッチ入力表示装置１１０を説明するための図である。図２（ａ）は、タッチ入力表示装置１１０の一例の概略断面図を示しており、図２（ｂ）は、入力表示画面１１０ａでタッチ操作される入力座標を示している。
【００３３】
タッチ入力表示装置１１０は、図２に示す例では、静電容量方式のタッチパネル１１１を備えたものであり、ユーザー１０の指２０及びペン３０でタッチ操作できるようになっている。
【００３４】
タッチパネル１１１は、図２（ａ）に示すように、ディスプレイ１１２上に配置されている。タッチパネル１１１は、シールド層１１１ａ上にフィルタ層１１１ｂ、シールド層１１１ｃ、格子状の電極線１１１ｄがこの順で形成され、さらにその上に表面層１１１ｅが形成されている。
【００３５】
タッチパネル１１１は、図２（ｂ）に示すように、指２０又はペン３０のタッチ操作を入力座標（ｘ、ｙ）に関する情報に変換するタブレットとして作用する。このタッチパネル１１１では、図２（ａ）に示す電極線１１１ｄに一定の信号が印加され、指２０又はペン３０が入力表示画面１１０ａの図２（ｂ）に示す位置Ｑでタッチ操作されると、指２０又はペン３０との容量結合で信号を検出して電圧に変換し、この電圧変化に対応する電極線１１１ｄの位置情報を指２０又はペン３０の入力座標（ｘ，ｙ）として、後述する制御部１３０に送信するようになっている。
【００３６】
図１に示すように、支持部材１２０は、入力表示画面１１０ａが垂直となる垂直姿勢と水平となる水平姿勢との間でタッチ入力表示装置１１０が姿勢変更可能となるように構成されている。支持部材１２０は、タッチ入力表示装置１１０を水平方向（図１中矢印Ａ方向）に沿った軸線回りに回動可能に支持する構成とされている。これにより、入力表示ボード兼テーブル１００は、タッチ入力表示装置１１０が垂直姿勢をとるときには入力表示ボード（例えば、電子ホワイトボードや電子黒板、電子掲示板といった手書きボード、以下、ホワイトボードという）として使用することができ、水平姿勢をとるときには入力表示テーブル（例えば、机や卓、台といったタッチテーブル、以下、タッチテーブルという）として１台２役で使用できるようになっている。すなわち、入力表示ボード兼テーブル１００は、ある時は入力表示画面１１０ａを床面に対して垂直に配置してホワイトボードとして使用可能とされ、ある時は入力表示画面１１０ａを床面に対して水平に配置してタッチテーブルとして使用可能とされる。
【００３７】
詳しくは、支持部材１２０は、タッチ入力表示装置１１０を両側で支持する一対の支持部材からなっている。一対の支持部材１２０，１２０は、それぞれ、一対の土台１２１，１２１と、土台１２１，１２１に対して垂直方向（図１中矢印Ｂ方向）に立設された第１支柱１２２，１２２と、第１支柱１２２，１２２に対して伸縮可能とされた第２支柱１２３，１２３とを備えている。
【００３８】
第１支柱１２２，１２２は、第２支柱１２３，１２３を上下方向（垂直方向Ｂ）にスライド自在に支持しており、第２支柱１２３，１２３の上下位置を調整可能に第２支柱１２３，１２３を固定できるようになっている。
【００３９】
第２支柱１２３，１２３は、タッチ入力表示装置１１０を水平方向Ａに沿った軸線回りに回動自在に支持しており、タッチ入力表示装置１１０の水平姿勢及び垂直姿勢を含む回動姿勢を調整可能にタッチ入力表示装置１１０を固定できるようになっている。
【００４０】
例えば、第１支柱１２２，１２２が高位置で第２支柱１２３，１２３を固定し、かつ、第２支柱１２３，１２３が垂直姿勢をとるようにタッチ入力表示装置１１０を固定することで、入力表示ボード兼テーブル１００をホワイトボードとして使用することができ、また、第１支柱１２２，１２２が低位置で第２支柱１２３，１２３を固定し、かつ、第２支柱１２３，１２３が水平姿勢をとるようにタッチ入力表示装置１１０を固定することで、入力表示ボード兼テーブル１００をタッチテーブルとして使用することができる。
【００４１】
図３は、入力表示ボード兼テーブル１００の制御構成を概略的に示すシステムブロック図である。
【００４２】
入力表示ボード兼テーブル１００は、さらに、入力表示画面１１０ａへの異なる複数の入力モードを実行可能な制御部１３０と、タッチ入力表示装置１１０の姿勢状態を検出する姿勢検出部１４０とを備えている。
【００４３】
図３に示すように、制御部１３０は、ＣＰＵ（Central Processing Unit）等の処理部１３１と、ＲＡＭ（Random Access Memory）等の１次記憶装置（メモリ）１３２ａ及びハードディスク装置（ＨＤＤ）等の２次記憶装置１３２ｂを含む記憶部１３２とを有している。詳しくは、この制御部１３０は、処理部１３１が記憶部１３２のＲＯＭに予め格納されたメインプログラム（ソフトウェア）Ｐ１、タッチパネル駆動用プログラム（一般的にはタッチパネルドライバと称する）Ｐ２及び表示パネル駆動用プログラム（一般的には表示ドライバと称する）Ｐ３を記憶部１３２のＲＡＭ上にロードして実行することにより、各種構成要素の制御を行うようになっている。
【００４４】
タッチパネル１１１から取得した入力座標に関する入力座標情報（データ）Ｄ１及びディスプレイ１１２に表示するディスプレイ表示情報（データ）Ｄ２は、記憶部１３２（ここでは１次記憶装置１３２ａ）に一時的に記憶される。また、ソフトウェアＰ１、タッチパネルドライバＰ２、表示ドライバＰ３は、記憶部１３２（ここでは２次記憶装置１３２ｂ）に予め記憶されている。
【００４５】
姿勢検出部１４０は、タッチ入力表示装置１１０が垂直姿勢をとっているか（垂直位置に設置されているか）、水平姿勢をとっているか（水平位置に設置されているか）を少なくとも検知できるようになっており、ここでは、傾きセンサーとされている。なお、本実施の形態に用いることができる傾きセンサー１４０としては、重力による水銀の動きによって一対の電気接点端子間の短絡又は導通状態を検出してタッチ入力表示装置１１０の傾きを検出する水銀スイッチ、入力表示装置１１０の回転角度を計測することによりタッチ入力表示装置１１０の傾きを検出するロータリーエンコーダーやポテンショメータ（可変抵抗器）等の回転角度センサー、或いは、単にタッチ入力表示装置１１０の傾きでオン又はオフ状態を検出するマイクロスイッチ等の検出スイッチを例示できる。
【００４６】
制御部１３０は、姿勢検出部１４０に接続されており、姿勢検出部１４０の検出結果に基づきタッチ入力表示装置１１０が垂直位置に設置されているのか、或いは、水平位置に設置されているのかを認識できるようになっている。また、制御部１３０は、現在のタッチ入力表示装置１１０の設置位置に関する設置位置情報Ｄ３及び前回のタッチ入力表示装置１１０の設置位置に関する設置位置情報Ｄ４を記憶部１３２（ここでは１次記憶装置１３２ａ）に随時記憶するようになっている。
【００４７】
また、制御部１３０は、タッチパネル１１１に接続されており、タッチパネルドライバＰ２を実行することによって、タッチパネル１１１からの入力座標データＤ１を処理し、かつ、複数の入力モードの切替処理を行うためのタッチパネルデータ処理部１３３としても機能するようになっている。
【００４８】
また、制御部１３０は、ディスプレイ１１２に接続されており、表示ドライバＰ３を実行することによって、ディスプレイ１１２に表示するディスプレイ表示データＤ２を処理するための表示データ処理部１３４としても機能するようになっている。
【００４９】
そして、制御部１３０は、ソフトウェアＰ１を実行することによって、傾きセンサー１４０の検出結果に基づき複数の入力モードのうち何れか一つのモードに切り替えるように構成されている。
【００５０】
ここでは、複数の入力モードは、入力表示画面１１０ａに対してペン３０による入力操作を行うペン入力モードと、ユーザー１０の指２０による入力操作を行う指入力モードとを含んでいる。ペン入力モードは、コンピュータのアイコン選択の他、線を描くモードとされており、指入力モードは、入力表示画面１１０ａに表示されているメニュー項目等の表示項目を指２０で選択入力するモードとされている。
【００５１】
詳しくは、タッチパネル１１１は、ペン入力モードと指入力モードとを切り替えて使用できるタッチパネルとされ、かつ、タッチパネルドライバＰ２によるタッチパネルデータ処理部１３３（ペン入力モードと指入力モードとの切替ツール）からの指示によって入力モードを切り替えることができる。
【００５２】
また、複数の入力モードは、入力表示画面１１０ａに対するタッチ操作を無効にする無効入力モードをさらに含んでいる。
【００５３】
以上説明した入力表示ボード兼テーブル１００によると、傾きセンサー１４０の検出結果に基づき入力モード（ここではペン入力モード、指入力モード又は無効入力モード）のモード切り替えを行うことで、タッチ入力表示装置１１０の姿勢によって、ユーザー１０による意識的な入力モードの切り替えがなされることなく、自動的に入力モードを切り替えることができ、これにより入力モードの切り替えによる操作性を向上させることができる。
【００５４】
また、複数の入力モードが無効入力モードを含んでいるので、必要に応じて無効入力モードにすることで、入力表示画面１１０ａに対するタッチ操作を禁止して入力表示画面１１０ａに対して表示のみを行うことが可能となる。
【００５５】
本実施の形態では、制御部１３０は、ソフトウェアＰ１を実行することによって、タッチ入力表示装置１１０が垂直位置に設置されているとき（ホワイトボードのとき）に実行する入力モードと、水平位置に設置されているとき（タッチテーブルのとき）に実行する入力モードとを複数の入力モードの中から任意に設定するためのユーザー設定部（ユーザー設定手段の一例）１３５として機能するようにもなっている。
【００５６】
図４は、タッチ入力表示装置１１０が垂直位置に設置されているとき（ホワイトボードのとき）に実行する入力モードと、水平位置に設置されているとき（タッチテーブルのとき）に実行する入力モードとを複数の入力モードの中から任意に設定するユーザー設定画面Ｇ１を示す図である。
【００５７】
図４に示すユーザー設定画面Ｇ１は入力表示画面１１０ａに表示することができる。このユーザー設定画面Ｇ１は、タッチ入力表示装置１１０が水平位置の設置状態にあるとき（タッチテーブルのとき）の入力モードを選択する第１設定領域α１と、タッチ入力表示装置１１０が垂直位置の設置状態にあるとき（ホワイトボードのとき）の入力モードを選択する第２設定領域α２と、第１設定領域α１及び第２設定領域α２の選択状態を確定する確定領域α３と、ユーザー設定画面Ｇ１をキャンセルするキャンセル領域α４とを有している。
【００５８】
第１設定領域α１及び第２設定領域α２には、何れも、複数の入力モード（ここではペン入力モード、指入力モード及び無効入力モード）に対応する複数の入力モード表示（ここではペン入力モード表示Ｍ１、指入力モード表示Ｍ２及び無効入力モード表示Ｍ３）が入力可能に表示される。また、確定領域α３には、「ＯＫ」表示が入力可能に表示されており、キャンセル領域α４には、「キャンセル」表示が入力可能に表示されている。このユーザー設定画面Ｇ１に関するユーザー設定画面情報Ｆ１は、記憶部１３２（ここでは２次記憶装置１３２ｂ）に予め記憶されている。ここでは、タッチテーブルのときに実行する入力モードの初期設定値として、指入力モードが設定されており、ホワイトボードのときに実行する入力モードの初期設定値として、ペン入力モードが設定されている。
【００５９】
図４に示すユーザー設定画面Ｇ１では、タッチテーブルのときに実行する入力モードとして、第１設定領域α１におけるペン入力、指入力及び無効入力の各モード表示Ｍ１〜Ｍ３の何れか（例えばペン入力モード表示Ｍ１）がユーザー１０によってタッチ操作されて該操作されたモード表示に対応するモードが選択される。また、ホワイトボードのときに実行する入力モードとして、第２設定領域α２におけるペン入力、指入力及び無効入力の各モード表示Ｍ１〜Ｍ３の何れか（例えば指入力モード表示Ｍ２）がユーザー１０によってタッチ操作されて該操作されたモード表示に対応するモードが選択される。そして、第１設定領域α１及び第２設定領域α２の選択状態を確定するときは、確定領域α３における「ＯＫ」表示がユーザー１０によってタッチ操作される。
【００６０】
こうしてタッチ入力表示装置１１０の設置位置毎に設定された入力モードに関するユーザー設定テーブルＦ２は、記憶部１３２（ここでは２次記憶装置１３２ｂ）に記憶される。
【００６１】
なお、図３に示す例では、記憶部１３２のユーザー設定テーブルＦ２において、タッチテーブルのときに実行する入力モードとして、指入力モードの情報が記憶されており、ホワイトボードのときに実行する入力モードとして、ペン入力モードの情報が記憶されている。
【００６２】
また、ユーザー設定画面Ｇ１の選択をキャンセルするときは、キャンセル領域α４における「キャンセル」表示がユーザー１０によってタッチ操作される。
【００６３】
このように、タッチ入力表示装置１１０が垂直位置に設置されているときに実行する入力モードと、水平位置に設置されているときに実行する入力モードとを複数の入力モード（ここではペン入力モード、指入力モード及び無効入力モード）の中から任意に設定することで、例えば、タッチ入力表示装置１１０を垂直位置に設置にしてホワイトボードとして使用する場合及び水平位置に設置してタッチテーブルとして使用する場合の双方において、ユーザー１０による使い勝手のよい入力モードの設定が可能となる。
【００６４】
また、本実施の形態では、制御部１３０は、ソフトウェアＰ１を実行することによって、タッチ入力表示装置１１０が垂直位置に設置されているときの入力モード及び水平位置に設置されているときの入力モードとして傾きセンサー１４０の検出結果に関わりなく複数の入力モード（ここではペン入力モード、指入力モード及び無効入力モード）の中から何れか一つのモードを選択入力して切り替えるためのモード選択部（モード選択手段の一例）１３６として機能するようにもなっている。
【００６５】
図５は、複数の入力モードにそれぞれ対応する複数の入力モード表示Ｍ１〜Ｍ３を選択可能に表示するモード切替ツール画面Ｇ２を示す図である。図５（ａ）は、ペン入力モードがタッチ操作された状態を示している。図５（ｂ）は、指入力モードがタッチ操作された状態を示している。図５（ｃ）は、無効入力モードがタッチ操作された状態を示している。
【００６６】
図５に示すモード切替ツール画面Ｇ２は入力表示画面１１０ａに表示することができる。なお、図５に示す例では、モード切替ツール画面Ｇ２において、前述したユーザー設定部１３５を実行するためのユーザー設定表示Ｍ４も表示されている。ユーザー設定を選択するときには、ユーザー設定表示Ｍ４がユーザー１０によってタッチ操作されると、図４に示すユーザー設定画面Ｇ１がディスプレイ１１２に表示される。
【００６７】
モード選択部１３６は、複数の入力モード（ここではペン入力モード、指入力モード及び無効入力モード）にそれぞれ対応する複数の入力モード表示（ここではペン入力モード表示Ｍ１、指入力モード表示Ｍ２及び無効入力モード表示Ｍ３）を選択可能にディスプレイ１１２に表示し、該複数のモード表示のうち何れか一つのモード表示の入力表示画面１１０ａへのタッチ操作によって選択されたモード表示に対応する入力モードに切り替えるように構成されている。こうすることで、ユーザー１０は入力表示画面１１０ａへのタッチ操作によって、必要に応じて入力モードを容易に切り替えることが可能となる。
【００６８】
図５に示すモード切替ツール画面Ｇ２には、ペン入力モードに切り替えるペン入力モード表示Ｍ１と、指入力モードに切り替える指入力モード表示Ｍ２と、無効入力モードに切り替える無効入力モード表示Ｍ３とを入力可能に表示されている。なお、モード切替ツール画面Ｇ２は、入力表示画面１１０ａに常時表示することができる。
【００６９】
図５に示すモード切替ツール画面Ｇ２では、ペン入力モードに切り替えるときにユーザー１０によってペン入力モード表示Ｍ１がタッチ操作され、指入力モードに切り替えるときにユーザー１０によって指入力モード表示Ｍ２がタッチ操作され、無効入力モードに切り替えるときにユーザー１０によって無効モード表示Ｍ３がタッチ操作される。
【００７０】
このとき、タッチ操作された入力モード表示が他の入力モード表示とは異なった表示となる。例えば、ペン入力モード表示Ｍ１がタッチ操作されると、ペン入力モード表示Ｍ１が他のモード表示（指入力モード表示Ｍ２及び無効入力モード表示Ｍ３）よりも濃い表示となり（図５（ａ）参照）、また、指入力モード表示Ｍ２がタッチ操作されると、指入力モード表示Ｍ２が他のモード表示（ペン入力モード表示Ｍ１及び無効入力モード表示Ｍ３）よりも濃い表示となる（図５（ｂ）参照）。同様に、無効入力モード表示Ｍ３がタッチ操作されると、無効入力モード表示Ｍ３が他のモード表示（ペン入力モード表示Ｍ１及び指入力モード表示Ｍ２）よりも濃い表示となる（図５（ｃ）参照）。
【００７１】
このように、タッチ入力表示装置１１０が垂直位置に設置されているときの入力モード及び水平位置に設置されているときの入力モードとして傾きセンサー１４０の検出結果に関わりなく複数の入力モード（ここではペン入力モード、指入力モード及び無効入力モード）の中から何れか一つのモードを選択入力して切り替えることで、傾きセンサー１４０の検出結果に関わりなくユーザー１０によって意識的に入力モードを切り替えることが可能となる。
【００７２】
なお、モード選択手段として、ここでは、ソフトウェアＰ１によるモード選択部１３６によってモードを切り替えるようになっているが、ユーザー１０が操作する物理的なスイッチ等の切替装置によってモードを切り替えるようになっていてもよい。
【００７３】
また、本実施の形態では、制御部１３０は、入力表示画面１１０ａに現在の入力モードを示す表示を行うように構成されている。
【００７４】
図６は、タッチ入力表示装置１１０の設置状態に対してモード切替ツール画面Ｇ２に表示される現在の入力モードの表示状態を示す図である。図６（ａ）は、タッチ入力表示装置１１０が垂直位置の設置状態にあるとき（ホワイトボードのとき）の入力モードを示している。図６（ｂ）は、タッチ入力表示装置１１０が水平位置の設置状態にあるとき（タッチテーブルのとき）の入力モードを示している。
【００７５】
入力表示ボード兼テーブル１００がホワイトボードとして利用されるときには、ユーザー設定部１３５で設定された入力モード（例えばペン入力モード）に対応する入力モード表示（例えばペン入力モード表示Ｍ１）が他の入力モード表示（例えば指入力モード表示Ｍ２及び無効入力モード表示Ｍ３）とは異なった表示（例えば指入力モード表示Ｍ２及び無効入力モード表示Ｍ３よりも濃い表示）となる（図６（ａ）参照）。また、入力表示ボード兼テーブル１００がタッチテーブルとして利用されるときには、ユーザー設定部１３５で設定された入力モード（例えば指入力モード）に対応する入力モード表示（例えば指入力モード表示Ｍ２）が他のモード表示（ペン入力モード表示Ｍ１及び無効入力モード表示Ｍ３）とは異なった表示（例えばペン入力モード表示Ｍ１及び無効入力モード表示Ｍ３よりも濃い表示）となる（図６（ｂ）参照）。なお、無効入力モードについても同様にして表示することができる。
【００７６】
このように、入力表示画面１１０ａに現在の入力モードを示す表示を行うことで、ユーザー１０は現在の入力モードを容易に確認することができ、これにより現在の入力モードに応じた入力操作を確実に行うことができる。なお、制御部１３０は、現在の入力モードに関する入力モード情報Ｄ５を記憶部１３２（ここでは１次記憶装置１３２ａ）に随時記憶するようになっている。
【００７７】
次に、入力表示ボード兼テーブル１００の動作例について説明する。図７は、入力表示ボード兼テーブル１００の制御部１３０による制御例の流れを示す前半部分のフローチャートであり、図８は、入力表示ボード兼テーブル１００の制御部１３０による制御例の流れを示す後半部分のフローチャートである。
【００７８】
図７に示す制御例では、先ず、１次記憶装置１３２ａにおける前回設置位置情報Ｄ４の記憶をクリアし（ステップＳ１）、モード切替ツール画面Ｇ２（図５及び図６参照）を表示する（ステップＳ２）。次に、処理終了か否かを判断し（ステップＳ３）、処理が終了されない限り（ステップＳ３：ＮＯ）、以降のステップＳ４〜ステップＳ２５の処理を繰り返す。
【００７９】
すなわち、入力表示装置１１０の設置状態を傾きセンサー１４０より取得し（ステップＳ４）、現在のタッチ入力表示装置１１０の設置位置に関する現在の設置位置情報Ｄ３として１次記憶装置１３２ａに記憶する（ステップＳ５）。ここで、システム起動中に、タッチ入力表示装置１１０の設置状態が変更されても、傾きセンサー１４０により検出できるように、制御部１３０は、入力表示装置１１０の設置状態を常時監視している。
【００８０】
次に、前回のタッチ入力表示装置１１０の設置位置に関する前回の設置位置情報Ｄ４を１次記憶装置１３２ａから呼び出し（ステップＳ６）、該呼び出した前回の設置位置情報Ｄ４と現在の設置位置情報Ｄ３とを比較する（ステップＳ７）。
【００８１】
ステップＳ７で前回の設置位置情報Ｄ４に対して現在の設置位置情報Ｄ３が変化あると判断した場合には（ステップＳ７：変化あり）、現在の設置位置情報Ｄ３を前回の設置位置情報Ｄ４として１次記憶装置１３２ａに記憶し（ステップＳ８）、現在の設置位置情報Ｄ３により入力表示装置１１０の設置状態を判断する（ステップＳ９）。
【００８２】
ステップＳ９で入力表示装置１１０が水平位置に設置されている場合には（ステップＳ９：水平位置）、２次記憶装置１３２ｂに記憶されているユーザー設定テーブルＦ２からタッチ入力表示装置１１０が水平位置にあるとき（タッチテーブルのとき）に実行する入力モード（例えば指入力モードの情報）を呼び出し（ステップＳ１０）、ステップＳ１２に移行する。一方、ステップＳ９で入力表示装置１１０が垂直位置に設置されている場合には（ステップＳ９：垂直位置）、２次記憶装置１３２ｂに記憶されているユーザー設定テーブルＦ２からタッチ入力表示装置１１０が垂直位置にあるとき（ホワイトボードのとき）に実行する入力モード（例えばペン入力モードの情報）を呼び出し（ステップＳ１１）、ステップＳ１２に移行する。
【００８３】
次に、ユーザー設定テーブルＦ２から呼び出した入力モードを現在の入力モードに関する入力モード情報Ｄ５として設定して（ステップＳ１２）１次記憶装置１３２ａに記憶し、モード切替ツール画面Ｇ２（図６参照）に現在の入力モードの表示状態を表示する（ステップＳ１３）。
【００８４】
また、ステップＳ７で前回の設置位置情報Ｄ４に対して現在の設置位置情報Ｄ３が変化なしと判断した場合には（ステップＳ７：変化なし）、モード切替ツール画面Ｇ２が選択（タッチ操作）されたか否かを判断する（ステップＳ１４）。
【００８５】
ステップＳ１４でモード切替ツール画面Ｇ２が選択されていないと判断した場合には（ステップＳ１４：ＮＯ）、ステップＳ３に移行する一方、選択されたと判断した場合には（ステップＳ１４：ＹＥＳ）、次の図８に示すステップＳ１５〜ステップ１８の処理でモード切替ツール画面Ｇ２におけるペン入力、指入力及び無効入力の各モード表示Ｍ１〜Ｍ３並びにユーザー設定表示Ｍ４のうち何れの表示が選択されたかを判断する。
【００８６】
すなわち、ペン入力モード表示Ｍ１が選択されたと判断した場合には（ステップＳ１５：ＹＥＳ）、ペン入力モードを現在の入力モードに関する入力モード情報Ｄ５として設定して（ステップＳ１９）１次記憶装置１３２ａに記憶する。
【００８７】
また、ペン入力モード表示Ｍ１が選択されず（ステップＳ１５：ＮＯ）、指入力モード表示Ｍ２が選択されたと判断した場合には（ステップＳ１６：ＹＥＳ）、指入力モードを現在の入力モードに関する入力モード情報Ｄ５として設定して（ステップＳ２０）１次記憶装置１３２ａに記憶する。
【００８８】
また、指入力モード表示Ｍ２が選択されず（ステップＳ１６：ＮＯ）、無効入力モード表示Ｍ３が選択されたと判断した場合には（ステップＳ１７：ＹＥＳ）、無効入力モードを現在の入力モードに関する入力モード情報Ｄ５として設定して（ステップＳ２１）１次記憶装置１３２ａに記憶する。
【００８９】
そして、モード切替ツール画面Ｇ２（図５参照）に現在の入力モードの表示状態を表示し（ステップＳ２３）、図７に示すステップＳ３へ移行する。
【００９０】
また、図８に示すように、無効入力モード表示Ｍ３が選択されず（ステップＳ１７：ＮＯ）、ユーザー設定表示Ｍ４が選択されたと判断した場合には（ステップＳ１８：ＹＥＳ）、ユーザー設定画面Ｇ１（図４参照）を入力表示画面１１０ａに表示し（ステップＳ２２）、ステップＳ２４へ移行する。
【００９１】
ステップＳ２４でタッチ入力表示装置１１０の設置位置毎のペン入力モード、指入力モード及び無効入力モードの中から任意のモードがユーザー１０によって選択されてユーザー設定画面Ｇ１の「ＯＫ」表示がタッチ操作されると（ステップＳ２４：ＯＫ）、タッチ入力表示装置１１０の設置位置毎に選択された入力モードに関するユーザー設定テーブルＦ２を設定して（ステップＳ２５）２次記憶装置１３２ｂに記憶し、図７に示すステップＳ３へ移行する。一方、ユーザー設定画面Ｇ１の「キャンセル」表示がタッチ操作されると（ステップＳ２４：キャンセル）、そのまま図７に示すステップＳ３へ移行する。
【００９２】
このように、本実施の形態に係る入力表示ボード兼テーブル１００では、入力モードを自動的に切り替えることができ、これにより入力モードの切り替えによる操作性を向上させることができる。
【符号の説明】
【００９３】
１０      ユーザー
２０      指
３０      ペン
１００    入力表示ボード兼テーブル
１１０ａ  入力表示画面
１１０    タッチ入力表示装置
１１１    タッチパネル
１１２    表示パネル（ディスプレイ）
１３０    制御部
１３１    処理部
１３５    ユーザー設定部（ユーザー設定手段の一例）
１３６    モード選択部（モード選択手段の一例）
１３２    記憶部
１３２ａ  第１記憶装置
１３２ｂ  第２記憶装置
１４０    傾きセンサー（姿勢検出部の一例）
Ｄ３      現在の設置位置情報
Ｄ４      前回の設置位置情報
Ｄ５      現在の入力モード情報
Ｆ１      ユーザー設定画面情報
Ｆ２      ユーザー設定テーブル
Ｇ１      ユーザー設定画面
Ｇ２      モード切替ツール画面
Ｍ１      ペン入力モード表示
Ｍ２      指入力モード表示
Ｍ３      無効入力モード表示
Ｍ４      ユーザー設定表示
【図１】
2011065252.tif 000003
【図２】
2011065252.tif 000004
【図３】
2011065252.tif 000005
【図４】
2011065252.tif 000006
【図５】
2011065252.tif 000007
【図６】
2011065252.tif 000008
【図７】
2011065252.tif 000009
【図８】
2011065252.tif 000010